(57)【要約】【課題】少量の商品の包装に要する時間と労力とを軽減する包装用具を提供すること。【解決手段】包装用具（１０）は、一対の案内部材（１６，１８）と、両案内部材間に箱（１２）を支持する支持部材（２０）と、両案内部材間に配置された互いに相対する２つの爪部材（２２，２４）と、両案内部材間に加熱面を規定する加熱装置（２６）とを含む。支持部材には、箱に被せられたプラスチックフィルム片（１４）の垂れ下がる端部のための第１の通路（４０）と、両第１の通路にそれぞれ連なる２つの第２の通路（４２）であって互いに交差するように斜めに伸びる２つの第２の通路と、両第２の通路に連なる第３の通路（４４）とが設けられている。各爪部材は、箱に巻き付けられたプラスチックフィルム片の互いに相対する端部が押し付けられるとき、端部に対して折り曲げ作用を及ぼす。【選択図】図１
2007106461.tif 000002
【特許請求の範囲】
【請求項１】
直角六面体の箱を矩形状のプラスチックフィルム片で包装するための用具であって、
互いに間隔をおいて配置されかつ連結された、前記箱を直線的に案内するための一対の案内部材と、
両案内部材間に前記箱をその一面で支持する支持面を規定する支持部材と、
両案内部材間に配置され該案内部材による案内方向に関して一方及び他方にそれぞれ向けられ互いに相対する２つの爪部材であって一の爪部材が前記箱をその一面で支持するための支持面を有しまた前記案内方向へ移動可能であり、他の爪部材が斜め下方に伸びる、２つの爪部材と、
両案内部材間に加熱面を規定する加熱装置とを含み、
前記一の爪部材が規定する案内面、前記支持部材が規定する案内面及び前記加熱装置が規定する加熱面はこれらの面上を前記箱が前記案内方向へ滑動可能であるように前記案内方向の一方に向けて順次に配置され、
前記支持部材が規定する支持面は、前記箱に被せられ該箱の一面下へ垂れ下がる前記プラスチックフィルム片の互いに相対する一対の端部のための前記案内方向へ伸びる２つの第１の通路と、両第１の通路にそれぞれ連なる２つの第２の通路であって前記案内方向に関して間隔をおいて配置され前記案内方向の一方に向けて互いに交差するように斜めに伸びる２つの第２の通路と、両第２の通路に連なり前記案内方向へ伸びる第３の通路とを有し、
また、各爪部材は、前記箱に巻き付けられ該箱の一面下へ垂れ下がる前記プラスチックフィルム片の互いに相対する端部が押し付けられるとき、該端部に対して折り曲げ作用を及ぼす、包装用具。
【請求項２】
前記案内部材は、これらが規定する間隔を可変とすべく、一方の案内部材に対して他方の案内部材が可動である、請求項１に記載の包装用具。
【請求項３】
前記支持部材は両案内部材にそれぞれ取り付けられ前記案内方向へ伸びる２つの第１の板体と２つの第２の板体とからなり、各第１の板体と各案内部材とがこれらの間にそれぞれ前記第１の通路を規定し、各第１の板体と各第２の板体とが前記第２の通路を規定し、また両第２の板体が前記第３の通路を規定する、請求項２に記載の包装用具。
【請求項４】
前記支持部材は、さらに、前記加熱面に隣接する板体を含む、請求項３に記載の包装用具。
【請求項５】
前記他の爪部材は前記支持部材と一体をなす、請求項１に記載の包装用具。
【請求項６】
前記プラスチックフィルム片はこれに接着されたティアテープを含む、請求項１に記載の包装用具。
【発明の詳細な説明】
【技術分野】
【０００１】
本発明は、化粧品、薬品、食品等が収容された箱（包装箱）のプラスチックフィルムによる包装、より詳細には直角六面体の包装箱を矩形状のプラスチックフィルム片で包装するための用具に関する。
【背景技術】
【０００２】
多品種少量生産による商品の包装、輸送や管理中に包装に毀損が生じた少量の商品の再包装等は、短時間で大量の包装を行う包装機械によるそれに馴染まない。このため、従来にあっては、包装の工程である、プラスチックフィルム片で包装箱を巻いてこれを貼り合わせ（胴張り）、胴張り後の包装箱の各端部から突出するプラスチックフィルム片を折り曲げ、貼り合わせることの全てを手作業で行っていた。しかし、これには時間と労力を要するという欠点があった。
【発明の開示】
【発明が解決しようとする課題】
【０００３】
本発明は、少量の商品の包装に要する時間と労力とを軽減する包装用具を提供することにある。
【課題を解決するための手段】
【０００４】
本発明は、直角六面体の箱を矩形状のプラスチックフィルム片で包装するための用具に係り、互いに間隔をおいて配置されかつ連結された、前記箱を直線的に案内するための一対の案内部材と、両案内部材間に前記箱をその一面で支持する支持面を規定する支持部材と、両案内部材間に配置され該案内部材による案内方向に関して一方及び他方にそれぞれ向けられ互いに相対する２つの爪部材であって一の爪部材が前記箱をその一面で支持するための支持面を有しまた前記案内方向へ移動可能であり、他の爪部材が斜め下方に伸びる、２つの爪部材と、両案内部材間に加熱面を規定する加熱装置とを含み、前記一の爪部材が規定する案内面、前記支持部材が規定する案内面及び前記加熱装置が規定する加熱面はこれらの面上を前記箱が前記案内方向へ滑動可能であるように前記案内方向の一方に向けて順次に配置され、前記支持部材が規定する支持面は、前記箱に被せられ該箱の一面下へ垂れ下がる前記プラスチックフィルム片の互いに相対する一対の端部のための前記案内方向へ伸びる２つの第１の通路と、両第１の通路にそれぞれ連なる２つの第２の通路であって前記案内方向に関して間隔をおいて配置され前記案内方向の一方に向けて互いに交差するように斜めに伸びる２つの第２の通路と、両第２の通路に連なり前記案内方向へ伸びる第３の通路とを有し、また、各爪部材は、前記箱に巻き付けられ該箱の一面下へ垂れ下がる前記プラスチックフィルム片の互いに相対する端部が押し付けられるとき、該端部に対して折り曲げ作用を及ぼす。
【０００５】
前記案内部材は、これらが規定する間隔を可変とすべく、一方の案内部材に対して他方の案内部材が可動であるものとすることができる。
【０００６】
前記支持部材は両案内部材にそれぞれ取り付けられ前記案内方向へ伸びる２つの第１の板体と２つの第２の板体とからなり、各第１の板体と各案内部材とがこれらの間にそれぞれ前記第１の通路を規定し、各第１の板体と各第２の板体とがそれぞれ前記第２の通路を規定し、また両第２の板体が前記第３の通路を規定するものとすることができる。
【０００７】
前記支持部材は、さらに、前記加熱面に隣接する板体を含むものとすることができる。また、前記他の爪部材は前記支持部材と一体をなすものとすることができる。前記プラスチックフィルム片はこれに接着されたティアテープを含むものであってもよい。
【発明の効果】
【０００８】
本発明によれば、矩形のプラスチックフィルム片による箱の包装のため、前記プラスチックフィルム片が被せられた箱をその一面を下にして支持部材が規定する支持面上に載せ、該支持面上を加熱面に向けて、すなわち両案内部材による案内方向の一方に向けて滑動させる。滑動の間、前記箱の一面下に垂れ下がる前記プラスチックフィルム片の両端部が両第１の通路及び両第２の通路を順次経て第３の通路に至る。前記第２の通路は前記案内方向に関して互いに間隔をおかれ前記案内方向の一方に向けて互いに交差するように斜めに伸びていることから、前記プラスチックフィルム片の両端部は両第２の通路を通るときに順次互いに他の一方に向けて折り曲げられる。次いで前記第３の通路に至ると、折り曲げられた両端部がそれぞれ前記支持面上に載り、前記箱の一面下にこれと相対するまでに折り曲げられ、部分的に互いに重なり合う。互いに重なり合うように折り曲げられた前記プラスチックフィルム片の両端部は引き続く滑動操作により前記加熱面に至り、該加熱面においてこれらの重合部が熱溶融され、互いに接合される。これにより、いわゆる胴張りが完了し、前記プラスチックフィルム片は前記箱に巻き付けられ、角筒状を呈するに至る。
【０００９】
次に、角筒状を呈し前記箱から突出する両端部を有する前記プラスチックフィルム片の一方の端部を下にしてこれを両案内部材間におき、これを一の爪部材に向けて移動させ該爪部材に押し付ける。その結果、前記プラスチックフィルム片の端部における互いに相対する２対の側面のうちの一対の側面の一方が前記箱の一面に向けて折り曲げられ、前記一の爪部材が規定する支持面上に載る。これにより、前記一方の側面の一方が前記箱の一面（下面）に相対するように折り曲げられる。
【００１０】
次いで、前記一の爪部材を他の爪部材に向けて移動させる。このとき、前記他の爪部材は斜め下方に向けられているため、前記一の爪部材の一部が前記他の爪部材上に乗り上がる。その結果、前記プラスチックフィルム片の一対の側面の他方が前記他の爪部材に当たり、前記箱の一面（下面）に相対するように折り曲げられる。
【００１１】
次いで、前記箱を前記一の爪部材の支持面から前記支持部材の支持面上へ移動させ該支持面上を前記加熱面に向けて滑動させる。その結果、前記プラスチックフィルム片の残りの一対の側面が前記第１の通路、前記第２の通路及び第３の通路を通過し、この間に、両側面が互いに他の一方に向けて順次折り曲げられ、先に折り曲げられた一対の側面上に部分的に重なる。部分的に重なり合う一対の側面は、前記箱の前記加熱面上への引き続く滑動操作により、熱溶着される。これらの操作を、前記プラスチックフィルム片の他方の端部についても同様に行う。これにより、いわゆる耳折りが完了し、同時に前記箱の包装が完了する。
【００１２】
本発明によれば、前記プラスチックフィルム片による前記箱の包装における前記胴張り及び前記耳折りについて、両案内部材間における前記プラスチックフィルム片を伴う前記箱の移動または滑動操作により短時間でかつ容易に行うことができる。
【００１３】
両ガイド部材の一方を他方に対して可動とし、両ガイド部材の相互間隔を可変とすることにより、種々の大きさの箱についての包装を可能とすることができる。
【００１４】
また、前記支持部材を、両ガイド部材にそれぞれ取り付けられた板体とすることにより、両ガイド部材の幅寸法を変えるべく一方のガイド部材を移動させるとき、前記支持部材が規定する支持面の大きさについて適用される箱の大きさに合わせて変更することができる。
【００１５】
前記支持部材が前記加熱面に隣接する板体を含むものとするときは、前記板体上において、前記第３の通路を経た前記プラスチックフィルム片の前記折り重ね部分に押圧力を及ぼし、前記加熱面への移動に先立ち、その折り重ね面をより平坦なものとすることができる。
【発明を実施するための最良の形態】
【００１６】
図１及び図２を参照すると、本発明に係る包装用具が全体に符号１０で示されている。
【００１７】
包装用具１０は、直角六面体（直方体又は立方体）の箱１２を矩形状のプラスチックフィルム片１４で包装するために用いられる（図３参照）。箱１２の一例として、化粧品、薬品、食品等が入れられた化粧箱がある。プラスチックフィルム片１４は、例えばポリエチレン、ポリプロピレン、ポリビニルアルコールのような熱可塑性樹脂からなる。
【００１８】
包装用具１０による箱１２の包装は、従来の手作業による包装と同様、いわゆる胴張り及び耳折りを経て行われる。前記胴張りは、箱１２にプラスチックフィルム片１４をその両端部が部分的に互いに重なり合うように箱１２に巻き付け、前記両端部を熱溶着することにより行われる。プラスチックフィルム片１４の巻き付けは、通常、箱１２の上蓋及び底蓋間の４つの側面の周囲を取り巻くように行われる。このとき、前記胴張り後におけるプラスチックフィルム片１４は角筒状を呈するところ、前記角筒の軸線方向における両端部が箱１２の両蓋からそれぞれ突出する。次に、前記耳折りが行われる。前記耳折りは、前記角筒の軸線方向に突出する各端部を箱１２の各蓋に向けて折り曲げ、互いに部分的に重なり合うこととなった前記両端部の一方の一部分を熱溶着することにより行われる。プラスチックフィルム片１４は、前記胴張り及び前記耳折りを可能とする大きさを有するものが予め選択され、準備される。図示の例では、プラスチックフィルム片１４は後にこれを引き裂いて箱１２の包装を解くためのいわゆるティアテープ１５を有する。
【００１９】
包装用具１０は、箱１２のための一対の案内部材１６，１８と、箱１２を支持するための支持部材２０と、前記耳折りをなすための２つの爪部材２２，２４と、前記熱溶着を生じさせるための加熱装置２６とを備える。
【００２０】
両案内部材１６，１８は互いに間隔をおいて配置され、互いに連結されており、これらの間に箱１２を受け入れ、該箱に対してこれを直線的に案内する作用をなす。
【００２１】
図示の両案内部材１６，１８は比較的細長い板部材からなり、これらの両端部において両案内部材１６，１８の横断方向へ伸びる一対のスペーサ２８上に載置され、一方の案内部材１６が両スペーサ２８に固定されている。これに対し、他方の案内部材１８は、一方の案内部材１６との間の相互間隔が調整可能であるように、一方の案内部材１６に対して相対移動可能とされている。これにより、両案内部材１６，１８間の間隔を変更することにより、種々の大きさの箱１２を包装対象とすることができる。
【００２２】
図示の例では、案内部材１８を可動とするため、また両案内部材１６，１８の相互連結のため、各スペーサ２８上に両案内部材１６，１８を横切る方向へ伸びるレール３０が取り付けられ、また他方の案内部材１８の下面にレール３０上をこれに沿って滑動可能であるスライダ３２が取り付けられている。また、案内部材１８をレール３０に押し付け、これによりスペーサ２８に解除可能に固定するためのねじ部材（図示せず）が案内部材１８に螺合されている。前記ねじ部材の回転操作のためにその頂部にノブ３４が取り付けられている。
【００２３】
なお、図示の例に代えて、他方の案内部材１８が、一方の案内部材１６と同様に両スペーサ２８に固定されたものとし、両案内部材１６，１８が両スペーサ１８を介して相互に連結されたものとすることができる。これによれば、両案内部材１６，１８間の相互間隔は、１の大きさの箱に対応可能である１の大きさのみに設定される。
【００２４】
両案内部材１６，１８に取り付けられたスペーサ２８は、包装用具１０を作業台上においたとき、該作業台から両案内部材１６，１８までの間に包装作業に必要な所要の高さ又は空間を確保するために設けられている。
【００２５】
支持部材２０は、両案内部材１６，１８間に箱１２をその一面（下面）で支持するための支持面を規定する。箱１２はこれを指Ｆで挟み持って前記支持面上を滑動させることにより、両案内部材１６，１８の案内作用の下、該案内部材に沿ってすなわち案内方向へ移動させることができる。このとき、箱１２はその互いに相対する両側面において両案内部材１６，１８に接し、これにより案内部材１６，１８による前記案内作用を受ける。
【００２６】
図示の例では、支持部材２０が、ともに前記案内方向に関して細長い２つの第１の板体３４と、２つの第２の板体３６からなり、これらの板体は両案内部材１６，１８間に箱１２のための支持面を規定する。
【００２７】
両第１の板体３４及び両第２の板体３６は、案内部材１６，１８の長手方向におけるほぼ中央部に位置し、またこれらの板体３４，３６の上面と両案内部材１６，１８の下面とがほぼ同一の平面上に位置する。
【００２８】
両第１の板体３４及び両第２の板体３６は、ともに、両案内部材１６，１８にそれぞれ取り付けられている。より詳細には、両第１の板体３４はそれぞれブラケット３８を介して両案内部材１６，１８の下面に取り付けられ、両第１の板体３４と両案内部材１６，１８との間に前記案内方向へ伸びる隙間４０が存する。また、両第２の板体３６はそれぞれ両案内部材１６，１８の下面に直接固定され、両案内部材１６，１８間に張り出している。したがって、両案内部材１６，１８間の相互間隔が広げられ、または狭められるとき、可動の案内部材１８と共に両第１の板体３４の一方及び両第２の板体３６の一方が案内部材１８と共に移動し、これにより両案内部材１６，１８間に配置される箱１２の大きさすなわち厚さ寸法に応じた前記支持面が規定される。
【００２９】
第１の板体３４と第２の板体３６との間にこれらに規定された隙間４２が存する。両隙間４２は前記案内方向に関して間隔をおいて配置されている。また、両隙間４２は、前記案内方向の一方（図２において左方）に向けて互いに交差するように、より詳細にはこれらの隙間４２の延長において互いに交差するように、斜めに伸びている。さらに、両第１の板体３４相互間及び両第２の板体３６相互間にもこれらに規定された隙間４４が存する。
【００３０】
板体２４と各案内部材１６，１８との間の隙間４０と、隙間４２と、両第２の板体３６が規定する隙間４４とは、それぞれ、包装用具１０による包装作業時におけるプラスチックフィルム片１４の一部の通過を許す第１の通路と、第２の通路と、第３の通路とをなす。第１の通路４０は第２の通路４２に連なり、第２の通路４２は第３の通路４４に連なる。
【００３１】
第１の通路４０は、後述するように、前記胴張りのために前記案内方向の一方に向けて前記支持面上を滑動される箱１２に被せられたプラスチックフィルム片１４の両端部を通し（図３）、また前記耳折りのために前記胴張りによって先に箱１２に巻き付けられたプラスチックフィルム片１４の２対の端部の一方６６を通す（図１０）役割を有する。第２の通路４２は、前記胴張り及び前記耳折りのそれぞれのために折り曲げられるプラスチックフィルム片１４の端部６２，６６を通す（図４及び図１１）役割を有する。また、第３の通路４４は、折り曲げ直後のプラスチックフィルム片１４の端部６２，６６を通す（図５）役割を有する。
【００３２】
好ましくは、図示の例におけるように、前記案内方向の前記一方の側に加熱装置２６に隣接して、また両第２の板体３６からわずかな間隔をおいて、一対の第３の板体４６が配置され、両案内部材１６，１８の下面に固定されている。両第３の板体４６相互間にも隙間が存する。両第３の板体４６はそれぞれ両案内部材１６，１８間に張り出しており、箱１２のための前記支持面の一部を規定する。各板体４６は、前記案内方向の他方（図２において右方）へ向けてかつ第２の板体３６の下方へ傾斜して伸びる突起４７を有する。この例に代えて、各第３の板体４６と各第２の板体３６とを一体にしてなるものとすることができる。
【００３３】
一方の案内部材１８を固定し、両案内部材１６，１８間の間隔を不変とする例の場合には、両第１の板体３４を単一の板体に置き換えることができる。また、両第２の板体３６についてもこれらを単一の板体に置き換えることができる。ただし、両第２の板体３６に代わる単一の板体に、第２の通路４２に連なる第３の通路４４を規定する切欠きが設けられる。両第３の板体４６についてもこれらを単一の板体に置き換えることができる。
【００３４】
なお、各板体３４，３６，４６は、これらを各案内部材１６，１８に取り付ける図示の例に代えて、例えば、両スペーサ２８の下方に配置されかつ両スペーサ２８に固定された基板（図示せず）に、適当な支柱（図示せず）を介して、両案内部材１６，１８間に支持することができる。
【００３５】
両爪部材２２，２４はそれぞれ支持部材２０の第１の板体３４の前記案内方向に関する他方の側に隣接して両案内部材１６，１８間に配置され、かつ前記案内方向に関する一方及びその他方にそれぞれ向けられ、前記案内方向に互いに相対している。
【００３６】
両爪部材２２，２４は、それぞれ、両案内部材１６，１８間に互いに間隔をおいて配置された一対の先細の板体４８，５０からなる。
【００３７】
一の爪部材２２はこれらの板体４８にそれぞれ固定された一対のブラケット５２を介して両案内部材１６，１８に吊持されている。両板体４８は、また、支持部材２０が規定する前記支持面とほぼ同一の平面上にある、箱１２をその一面（下面）で支持するための支持面を規定する。
【００３８】
両ブラケット５２は、それぞれ、両案内部材１６，１８の頂面に設けられ両案内部材１６，１８の長手方向へ伸びる一対のレール５４に該レールに沿ってすなわち前記案内方向へ移動可能に連結されたブロック状のスライダ５６に固定されている。
【００３９】
両ブラケット５２は、また、これらに取り付けられ両案内部材１６，１８の横断方向へ伸びるバー部材５８により相互に連結されている。これにより、両板体４８を前記案内方向へ同時に移動させることができる。
【００４０】
他方、他の爪部材２４の両板体５０は、支持部材の一対の板体３４と一体に形成され、下方に向けて傾斜している。このため、一の爪部材２２を前記案内方向の一方へ移動させるとき、一の爪部材２２の先端部が他の爪部材２４の先端部への乗り上がりが可能である。
【００４１】
なお、両案内部材１６，１８間の間隔を不変とする前記例の場合には、両案内部材１６，１８をそれぞれ単一の板体からなるものとすることができる。また、他の爪部材２４の両板体５０について、支持部材の両板体３４から分離された独立のものとして構成することができる。この場合における両板体５０は、それぞれ、第２の板体３６のように両案内部材１６，１８の底面に固定することができる。
【００４２】
爪部材２４と反対の側、すなわち支持部材２０の前記案内方向における一方の側に支持部材２０に隣接して配置された加熱装置２６は、図示の例では、電熱板からなり、両案内部材１６，１８間に平坦な加熱面を規定する。前記加熱面は前記支持面とほぼ同一の面上にある。
【００４３】
包装用具１０を使用してのプラスチックフィルム片１４による箱１２の包装は次のように行うことができる。
【００４４】
先ず、プラスチックフィルム片１４が被せられた箱１２を手Ｆに持ち、これを両案内部材１６，１８間の支持部材の両板体３４上に載置する（図３）。一般的には、箱１２の上蓋及び底蓋の間の４つの側面の内の３つの側面の周囲を覆うように、プラスチックフィルム片１４が箱１２に被せられる。
【００４５】
このとき、プラスチックフィルム片１４の一部６２が箱１２の残りの一つの側面（下面）から縦方向（下方）へ垂れ下がり、また前記上蓋及び前記底蓋からそれぞれ横方向へ突出し、下方へ垂れ下がる両端部６２は、第１の通路４０を経て下方に伸びる。両スペーサ２８は、包装用具１０がおかれる作業台との間に、プラスチックフィルム片１４の両端部６２が垂れ下がりを保証する間隔を確保する。また、このとき、箱１２はその互いに相対する両側面においてプラスチックフィルム片１４を介して両案内部材１６，１８に接する。
【００４６】
次いで、箱１２を前記案内方向における一方に向けて移動させ、支持部材の両板体３４及び両板体３６上を順次に滑動させる。これにより、プラスチックフィルム片１４の両端部６２は第１の通路４０から第２の通路４２へ案内、移動される（図４、図５）。プラスチックフィルム片の両端部６２は、それぞれ、第２の通路４２を移動する間に箱１２の底面に向けて折り曲げられ、次いで両端部６２が第２の板体３６上に乗り上がり、第３の通路４４において部分的に重なり合う。その結果、両端部６２がそれぞれ箱１２の底面に相対することとなるまで、すなわちほぼ９０度まで折り曲げられる。
【００４７】
両第２の通路４２が前記案内方向に互いに間隔をおいて配置されているため、プラスチックフィルム片の両端部６２の折り曲げは時間的に前後して生じる。このため、両端部６２の一方が折り曲げられた後、該一方の端部上に他方の端部６２が重なり合うように折り曲げられる。
【００４８】
箱１２をさらに移動すると、折り曲げられかつ箱１２の前記下面で互いに重なり合うプラスチックフィルム片の両端部６２が支持部材の両板体３６，４６上を滑動し（図６）、次いで加熱装置２６が規定する前記加熱面に到達し、該加熱面上を滑動して通過する（図７）。このとき、両端部６２の重合部分が熱溶融され、互いに接着（熱溶着）される。同時に、ティアテープ１５の両端部の互いに重なり合う部分も熱溶着される。その結果、前記胴張りが完了する（図８）。
【００４９】
次に、前記胴張りによりプラスチックフィルム片１４が巻き付けられた箱１２を図８に示す状態から９０度回転させ、この箱１２を一の爪部材２２の両板体４８上に載置する。箱１２の載置は、爪部材２２を予め前記案内方向における他方の側へ移動させて、両案内部材１６，１８間に箱１２のための挿入空間を確保しておき、両案内部材１６，１８間に箱を挿入し、次いで爪部材２２に向けて移動させることにより行う。このとき、箱１２の上蓋又は底蓋から突出する角筒状の他の端部の互いに相対する２対の一部分６４，６６における一対の一部分６４の一方が爪部材２２の先端に当たって折り曲げられ、箱１２の一面（前記上蓋又は底蓋が規定する下面）に押し当てられる（図９）。
【００５０】
その後、爪部材２２上に箱１２を載せたまま、爪部材２２をこれが他の爪部材２４上に乗り上がるまで前記案内方向における一方に向けて移動させる。このとき、プラスチックフィルム片の残りの一部分６４が他の爪部材２２に当たって折り曲げられ、箱１２の前記一面に押し当てられる。
【００５１】
引き続き、箱１２を前記案内方向における一方に向けて移動させる。このとき、一の爪部材２２の一部が他の爪部材２４上に乗り上げているため、一の爪部材２２から支持部材の両第１の板体３４への移動が円滑に行われる。
【００５２】
箱１２が支持部材の第１の板体３４上を滑動するとき、プラスチックフィルム片１４の折り曲げられないで残った他の一対の端部の一部分６６がそれぞれ両第１の通路４０を通過する（図１０）。さらに、第２の板体３６上を通過するとき、両一部分６６がそれぞれ両第２の通路４２を通過し、前記胴張りにおけると同様に折り曲げられ、互いに部分的に重ね合わされる（図１１）。
【００５３】
箱１２の移動を続けると、箱１２の前記下面に折り曲げられた両一部分６６が第３の板体４６上を滑動し、さらに前記加熱面上を滑動し、この間に両一部分６６の重なり部分が熱溶融され、互いに接着される（図１２）。その結果、角筒状のプラスチックフィルム片１４の一方の端部における耳折りが完了する。
【００５４】
その後、同様にして、前記角筒状のプラスチックフィルム片１４の他方の角筒状の端部についても耳折りを施す。これにより、プラスチックフィルム片１４による箱１２の包装が完了する。
【００５５】
なお、図１３に示すように、前記胴張り作業における箱１２に対するプラスチックフィルム片１４の被覆状態を良好に保つため、箱１２の３つの側面にプラスチックフィルム片１４を押さえ付けるためのコ字形の断面形状を有するアタッチメント６８を用いることができる。
【図面の簡単な説明】
【００５６】
【図１】包装用具の下から見た斜視図である。
【図２】包装用具の平面図である。
【図３】箱に被せられたプラスチックフィルム片の端部が第１の通路を通過する状態における包装用具の斜視図である。
【図４】プラスチックフィルム片の端部が第２の通路を通過する状態における包装用具の斜視図である。
【図５】プラスチックフィルム片の端部が第３の通路を通過する状態における包装用具の斜視図である。
【図６】プラスチックフィルム片の端部が互いに部分的に重ね合わされ、支持部材の第３の板体上を滑動する状態における包装用具の斜視図である。
【図７】プラスチックフィルム片の互いに部分的に重ね合わされた両端部が加熱面上を滑動する状態における包装用具の斜視図である。
【図８】プラスチックフィルム片の胴張りが完了した状態における包装用具の斜視図である。
【図９】胴張り後のプラスチックフィルム片の耳折りのため、角筒状を呈するプラスチックフィルムの端部の一部分を折り曲げる工程における包装用具の斜視図である。
【図１０】プラスチックフィルム片の非折り曲げ部分が第１の通路を通過している状態における包装用具の斜視図である。
【図１１】プラスチックフィルム片の非折り曲げ部分を折り曲げる工程における包装用具の斜視図である。
【図１２】プラスチックフィルム片の角筒状の端部の耳折りが完了した状態における包装用具の斜視図である。
【図１３】胴張り作業に用いられるアタッチメントの斜視図である。
【符号の説明】
【００５７】
１０  包装用具
１２  箱
１４  プラスチックフィルム片
１６，１８  案内部材
２０  支持部材
２２，２４  爪部材
２６  加熱装置
３４，３６  第１及び第２の板体
４０，４２，４４  第１、第２及び第３の通路
【図１】
2007106461.tif 000003
【図２】
2007106461.tif 000004
【図３】
2007106461.tif 000005
【図４】
2007106461.tif 000006
【図５】
2007106461.tif 000007
【図６】
2007106461.tif 000008
【図７】
2007106461.tif 000009
【図８】
2007106461.tif 000010
【図９】
2007106461.tif 000011
【図１０】
2007106461.tif 000012
【図１１】
2007106461.tif 000013
【図１２】
2007106461.tif 000014
【図１３】
2007106461.tif 000015